(57)【要約】【課題】被係止部を有する平型導体の挿入の作業性を改善し該平型導体の抜けを確実に防止する平型導体用電気コネクタを提供することを課題とする。【解決手段】ハウジング１０に設けられた固定壁１２と、該固定壁と間隔をもって対面する可動壁２０とを有し、可動壁２０は、コネクタ幅方向にて、平型導体の被係止部に対応する位置に係止のための係止突部２６を有し、該係止突部２６は、上記固定壁１２との対面側に前方に向けての平型導体の導入過程で該平型導体との当接力により固定壁から遠ざかる方向の開位置へ向け変位するように、導入される平型導体と干渉する導入部２６Ａと、該導入部より前方位置で上記平型導体の被係止部と係止可能に前端側に形成された係止部２６Ｂとを有し、さらに、上記可動壁２０は、平型導体の導入過程における開位置への変位に伴い、端子の弾性接触腕部３４を平型導体から遠ざかる方向に変位せしめる端子押圧部２４を有している。【選択図】図２
2009252692.tif 000002
【特許請求の範囲】
【請求項１】
ハウジングに設けられた固定壁と、該固定壁と間隔をもって対面する可動壁とを有し、抜け防止のための被係止部を有する平型導体をハウジングの内方たる前方に向け受入れる受入部が上記固定壁と可動壁の間に形成され、ハウジングに植設された端子が平型導体に対して弾性的に接触する弾性接触腕部を有し、該弾性接触腕部が上記固定壁と可動壁の少なくとも一方の側の位置で上記平型導体の幅方向に配列されている平型導体用電気コネクタにおいて、
可動壁は、上記幅方向にて、上記被係止部に対応する位置に係止のための係止突部を有し、該係止突部は、上記固定壁との対面側に前方に向けての平型導体の導入過程で該平型導体との当接力により固定壁から遠ざかる方向の開位置へ向け変位するように、導入される平型導体と干渉する導入部と、該導入部より前方位置で上記平型導体の被係止部と係止可能に前端側に形成された係止部とを有し、さらに、上記可動壁は、平型導体の導入過程における開位置への変位に伴い、端子の弾性接触腕部を平型導体から遠ざかる方向に変位せしめる端子押圧部を有していることを特徴とする平型導体用電気コネクタ。
【請求項２】
コネクタは、端子の配列方向で端子に隣接して金具を有し、端子の配列方向に見たときに、上記端子の弾性接触腕部に対応する位置に、上記金具が弾性被圧腕部を有し、可動壁が該弾性被圧腕部を押圧する金具押圧部を有していることとする請求項１に記載の平型導体用電気コネクタ。
【請求項３】
平型導体の被係止部は該平型導体の幅方向両側縁に外方に延出して形成された耳部であり、可動壁の係止突部の係止部が該耳部の後縁と係止可能な位置にあることとする請求項１に記載の平型導体用電気コネクタ。
【請求項４】
可動壁は、回動被支持部を有し、端子そしてハウジングの少なくとも一方に設けられた回動支持部によって該回動被支持部が回動可能に支持されていることとする請求項１ないし請求項３のうちの一つに記載の平型導体用電気コネクタ。
【請求項５】
可動壁は、固定壁と一体にハウジングの一部として形成され、可撓部にて上記固定壁と連結されていることとする請求項１ないし請求項３のうちの一つに記載の平型導体用電気コネクタ。
【請求項６】
ハウジングは固定壁側に回路基板への取付面を有していることとする請求項１に記載の平型導体用電気コネクタ。
【請求項７】
ハウジングは可動壁側の位置に回路基板への取付面を有し、ハウジングに取付けられた固定金具に設けられたばね部によって可動壁が固定壁側に付勢されていることとする請求項１に記載の平型導体用電気コネクタ。
【発明の詳細な説明】
【技術分野】
【０００１】
本発明は平型導体用電気コネクタに関する。
【背景技術】
【０００２】
平型導体としては、フレキシブル基板（ＦＰＣ）、フラットケーブル等が知られている。かかる平型導体は、回路基板に取り付けられた電気コネクタに接続されることが多い。このような平型導体が接続されるコネクタとしては、例えば特許文献１に開示されているコネクタがある。
【０００３】
この特許文献１のコネクタでは、ハウジングは回路基板に取付けられる側に固定壁を有し、該ハウジングに傾動可能な操作部材が支持されていて、上記固定壁と操作部材との間に平型導体たるリボンケーブルの挿入が可能となっている。ハウジングには端子金具が保持されていて、該端子金具は、操作部材により撓み変形を受けるアーム部を有していて、操作部材が作業者により押圧されて開放位置へ変形すると、このアーム部も操作部材に伴って変形し、平型導体の挿入を可能とする。
【０００４】
平型導体が所定位置まで挿入されると、該平型導体の先端が端子金具の突き当て片へ突き当り、該端子金具を介して操作部材に開放位置から保持位置へ向う傾動力を生じさせる。作業者は、この傾動力を指先で感知して、上記操作部材から指を離すと上記端子金具が撓み変形前の原形へ復帰しようとして平型導体を圧し、かくして、平型導体は押圧保持されてその保持力によって抜けの防止が図られる。
【特許文献１】特開２０００−１７３７００
【発明の開示】
【発明が解決しようとする課題】
【０００５】
特許文献１のコネクタにあっては、操作性そして平型導体の保持性について改善の余地があった。
【０００６】
先ず、操作性については、一方の手の指で操作部材を押して開放位置にもたらした後、他方の手で平型導体をコネクタへ挿入し、平型導体が所定位置まで挿入されたことを確認した後に、一方の手の指の押圧力を解除することにより平型導体を保持状態とするので、作業者は両方の手を使わなければならないこと、操作部材を開放位置へもたらす操作と平型導体を挿入するという作業と、二段階の作業が必要であることにおいて、作業をさらに簡単化することが要求される。
【０００７】
次に、保持位置では、平型導体は端子金具との接圧だけで保持されているので、端子金具との間の摩擦力よりも大なる力で不用意に引かれると抜けてしまう、あるいは挿入位置が後方にずれてしまうという問題もある。
【０００８】
本発明は、このような事情に鑑み、平型導体の挿入の作業性をさらに改善すると共に抜け防止を確実に行うことのできる平型導体用電気コネクタを提供することを課題とする。
【課題を解決するための手段】
【０００９】
本発明に係る平型導体用電気コネクタは、ハウジングに設けられた固定壁と、該固定壁と間隔をもって対面する可動壁とを有し、抜け防止のための被係止部を有する平型導体をハウジングの内方たる前方に向け受入れる受入部が上記固定壁と可動壁の間に形成され、ハウジングに植設された端子が平型導体に対して弾性的に接触する弾性接触腕部を有し、該弾性接触腕部が上記固定壁と可動壁の少なくとも一方の側の位置で上記平型導体の幅方向に配列されている。
【００１０】
かかる平型導体用電気コネクタにおいて、本発明では、可動壁は、上記幅方向にて、上記被係止部に対応する位置に係止のための係止突部を有し、該係止突部は、上記固定壁との対面側に前方に向けての平型導体の導入過程で該平型導体との当接力により固定壁から遠ざかる方向の開位置へ向け変位するように、導入される平型導体と干渉する導入部と、該導入部より前方位置で上記平型導体の被係止部と係止可能に前端側に形成された係止部とを有し、さらに、上記可動壁は、平型導体の導入過程における開位置への変位に伴い、端子の弾性接触腕部を平型導体から遠ざかる方向に変位せしめる端子押圧部を有していることを特徴としている。
【００１１】
このような本発明の平型導体用電気コネクタへの平型導体の接続には、単に平型導体をコネクタの受入部へ挿入するだけで良い。
【００１２】
平型導体が受入部へ挿入されると、その挿入過程にて、可動壁の係止突部はその導入部で平型導体からの当接力を受けて、該可動壁は対向せる固定壁から遠ざかる方向の開位置へ弾性変位する。この可動壁の変位に伴い、該可動壁の端子押圧部も同じ方向に変位し、この端子押圧部と係合している端子の弾性接触腕部は上記端子押圧部に押圧されて平型導体から遠ざかる方向に変位する。すなわち、平型導体の挿入操作を行うだけで端子はその接触腕部が該平型導体から遠ざかるように変位して、平型導体の低抵抗での前進を可能とする。
【００１３】
平型導体は、所定位置まで挿入されると、該平型導体の被係止部が係止突部の導入部から外れるので可動壁は変位前の位置へ向けて戻り、その結果、被係止部は係止突部の係止部と係止し合う位置へもたらされ、後方に引かれても抜出されてしまうことはない。
【００１４】
本発明において、コネクタは、端子の配列方向で端子に隣接して金具を有し、端子の配列方向に見たときに、上記端子の弾性接触腕部に対応する位置に、上記金具が弾性被圧腕部を有し、可動壁が該弾性被圧腕部を押圧する金具押圧部を有していることが好ましい。上記配列方向で金具に対応する位置では、上記平型導体は、上記金具の弾性被圧腕部の一部が平型導体に対して該平型導体の厚み方向に貫通して該平型導体の被係止部と係止し合うように、切欠部等を形成できる。このような形態では、可動壁が導入部で平型導体から当接力を受けて開位置に向けて弾性変位すると、上記金具押圧部が弾性被圧腕部を平型導体から遠ざかるように変位して平型導体の前進を容易とし、平型導体が所定位置まで達すると、上記弾性被圧腕部の一部が上記切欠部等に入り込み、平型導体の抜けを効果的に防止する。
【００１５】
本発明において、平型導体の被係止部は、例えば、該平型導体の幅方向両側縁に外方に延出して形成された耳部であり、可動壁の係止突部の係止部が該耳部の後縁と係止可能な位置にあるようにすることができる。
【００１６】
本発明において、可動壁は、回動被支持部を有し、端子そしてハウジングの少なくとも一方に設けられた回動支持部によって該回動被支持部が回動可能に支持されていることにより、可動とすることができる。かかる可動壁は係止突部の導入部で平型導体から当接力を受けたときに、上記回動被支持部を中心として回動可能となる。
【００１７】
本発明において、可動壁は、固定壁と一体にハウジングの一部として形成され、可撓部にて上記固定壁と連結されているようにすることもできる。こうすることにより、固定壁と可動壁とを一部材として形成でき、部品点数が減る。
【００１８】
本発明において、ハウジングは固定壁側に回路基板への取付面を有しているようにすることができ、この場合は、可動壁は回路基板とは反対側に位置するので、固定壁の取付面が広く確保できる。
【００１９】
これとは逆に、ハウジングは可動壁側の位置に回路基板への取付面を有しているようにすることができ、この場合、ハウジングに取付けられた固定金具に設けられたばね部によって可動壁が固定壁側に付勢されていることが好ましい。
【００２０】
このような形態では、固定壁の取付面は可動壁と同じ側にあるために、取付面の面積は大きく確保することはできないが、平型導体を抜出したいときに、可動壁の一部、例えば解除釦を回路基板の方に向け押すだけで平型導体の係止を解除できるので操作が簡単になる。一般に押す操作は引く操作より簡単である。可動壁が回路基板とは反対側に設けられている前出の形態では、仮に可動壁に解除釦が設けられているとすると、この解除釦を回路基板から離れる方向に引くこととなり、操作しづらい。したがって、本形態のように、可動壁を回路基板の側に設けると、平型導体の抜出時には、回路基板側に向けて解除釦を押すだけでよいので簡単に解除が行える。
【発明の効果】
【００２１】
本発明は、以上のごとく、平型導体を挿入するだけで、該平型導体が可動壁の導入部を押して開位置へもたらし、この可動壁の動作に伴い端子も弾性接触腕部が平型導体から離れる方向に変位するので、平型導体の挿入が楽に行われると共に、所定位置まで挿入されると、可動壁が変位前の位置に戻り、平型導体の被係止部が可動壁の係止部と係止するので確実に抜けが防止される。かくして、平型導体の挿入と係止が平型導体の挿入という一つの動作だけで達成され、しかも、作業者は一方の手で挿入するだけでよい。
【発明を実施するための最良の形態】
【００２２】
以下、添付図面にともづき、本発明の実施の形態を説明する。
【００２３】
＜第一実施形態＞
図１に全体が示される本実施形態の平型導体用電気コネクタ１は、電気絶縁材料で作られたハウジング１０と可動壁２０とを有している。該ハウジング１０は、平型導体Ｐの挿入側となる後方に開口されていると共に、上壁が前縁部１１Ａそして側縁部１１Ｂを除いて上方に大きく開口されている。かかるハウジング１０は、底壁たる固定壁１２と、該固定壁１２に上記側縁部１１Ｂを連結している側壁１３とを有している。上記可動壁２０は、上記固定壁１２と対向するようにして、上記前縁部１１Ａと側縁部１１Ｂで三方で囲まれるように配設されており、かかるハウジング１０と可動壁２０とにより、コネクタ全体としては、略直方体外形をなしている。
【００２４】
上記ハウジング１０には、図２，図３に見られるように、その内部に、金属板の平坦面をそのまま維持して作られた端子３０と金具４０が植設されている。端子３０は、平型導体Ｐの幅方向（コネクタの幅方向でもある）に複数配列され、その配列範囲の両最端に位置する端子３０に近接して端子２０と同一形状の金具４０が配されている。さらに、該金具４０の側方には、金属製の取付具５０も設けられている（図１参照）。
【００２５】
図２は、図１のコネクタについての断面斜視図であり、端子配列方向で、図２（Ａ）は端子３０の位置、図２（Ｂ）は金具４０の位置、図２（Ｃ）は金具４０よりも側壁１２寄りの位置でそれぞれ断面されている。又、図３は図２の断面部分をより詳しく示した断面図で、図３（Ａ）は端子３０の位置、図３（Ｂ）は金具４０の位置での断面である。
【００２６】
図１、図２（Ａ）そして図３（Ａ）に見られるように、ハウジング１０は端子３０のための端子溝１４が前後に貫通して形成されている。該端子溝１４は、端子３０の板厚にほぼ等しい溝幅のスリット状をなし、上記ハウジング１０の前縁部１１Ａの部分を除いて上方に開口されている。該端子溝１４は、底壁たる固定壁１２の後部１２Ａ（図３（Ａ）にて左部）の上面が前部１２Ｂの上面に対して高くなっている。この後部１２Ａが前部１２Ｂへ移行する部分は、段をなすと共に、後方に没した固定溝１４Ａが形成されている。上記後部１２Ａの上面は平型導体載置面１２Ａ−１を形成しているが、その後端寄り部分は後方に向け緩やかに下方に向くテーパ部１２Ａ−２となっている。かかる端子溝１４は、保持する端子３０の数だけ、コネクタの幅方向に間隔をもって配列形成されている。
【００２７】
端子配列範囲の最外端の端子溝１４に隣接して金具溝１５が形成されている。この金具溝１５は、本実施形態では、金具４０が端子３０と同一形状をなしている関係上、端子溝１４とほぼ同一形状をなしており、固定壁１２に固定溝１４Ａと同様な固定溝１５Ａを有している。端子溝１４の場合との若干の差は、後部１２Ａの上面がテーパ面ではなく平坦な底をなす段部１６となっていることである。この段部１６は後部１２Ａの後端縁まで延びている。
【００２８】
かかるハウジング１０の固定壁１２の下面は、回路基板への取付面１７を形成している。
【００２９】
次に、端子３０は、既述のごとく、金属板の平坦面をそのまま維持して作られており、ハウジング１０の前端側で、上壁の前縁部１１Ａと底壁たる固定壁１２の前部との間で挟持保持される被取付部３１と、該被取付部３１の上部から後方に突出する支持突部３２と、被取付部３１の下部から後方に延びる被保持腕部３３と、該被保持腕部３３から延出する弾性接触腕部３４とを有している。
【００３０】
上記支持突部３２は、後方への突出量は短く、剛性が高くなっており、その後端に円形の一部をなす回動支持部３２Ａを有している。被保持腕部３３は、上記被取付部３１から固定壁１２に接面して上記固定溝１４Ａへ突入するように延びていて、後端近傍に係止突起３３Ａが設けられており、この係止突起３３Ａが固定溝１４Ａに喰い込んでその抜けを防止している。
【００３１】
弾性接触腕部３４は、被保持腕部３３の後端寄りで上記固定溝１４Ａの開口部に近接した位置から上方に突出した直後に前方に延びその後に後方に向け屈曲そして延出して横Ｕ字状をなしている。この弾性接触腕部３４は、被保持腕部３３との連結部の上縁に上方に突出する圧接突起３４Ａを有しているとともに、上記横Ｕ字状をなして後方に延びた部分の下縁に、該圧接突起３４Ａと対向した突起により接触部３４Ｂを有している。これらの圧接突起３４Ａと接触部３４Ｂとの間隔は平型導体の対応部分の厚み寸法よりも若干小さい。上記弾性接触腕部３４は、上記接触部３４Ｂよりも後方の後端部が逆Ｌ字状にもち上がっていて下縁に被圧凹部３４Ｃを形成している。
【００３２】
さらに上記端子３０は前部下端から回路基板に接面する接続部３５を有している。
【００３３】
次に、金具４０であるが、この金具４０は端子３０と同じ形状に作られているので、端子３０の各部と対応する部分には端子３０における符号に１０を加えて４０台の符号とし、それぞれに名称を与えることとする。このような金具４０は、被取付部４１と、支持突部４２と、被保持腕部４３と、弾性被圧腕部４４とを有している。上記支持突部４２は回動支持部４２Ａを有し、被保持腕部４３は係止突起４３Ａを有し、弾性被圧腕部４４は突起４４Ａと突起４４Ｂを有していると共に被圧凹部４４Ｃが形成されている。又、金具４０は固定脚４５を有している。
【００３４】
ハウジング１０に対して上蓋を形成するように配置されている可動壁２０は、ハウジング１０の前縁部１１Ａと側縁部１１Ｂで三方の縁が囲まれている。該可動壁２０は、ハウジングと同様な電気絶縁材料で作られており、前縁側の下面側には、端子３０の回動支持部３２Ａと金具４０の回動支持部４２Ａに係合する円弧凹状の回動被支持部２１がコネクタの幅方向（図３（Ａ）にて紙面に直角方向）に延びて形成されている。該可動壁２０はこの回動支持部３２Ａを中心に回動可能である。
【００３５】
上記回動被支持部２１の後方では、可動壁２０の下面に、端子配列方向で各端子３０に対応する位置で、下方そして後方に開口せるスリット状の溝部２２が形成されている。該溝部２２には、前後方向で端子３０の被圧凹部３４Ｃに対応する位置に、上方に開口する窓部２３が上記溝部２２と連通して形成されている。上記窓部２３の下方には、溝部２２の対向溝内面同士を連結する島状の端子押圧部２４が設けられている。この端子押圧部２４は、端子３０の弾性接触腕部３４の被圧凹部３４Ｃに下方から係合していて、可動壁２０が上記回動支持部３２Ａを中心に後端が上方へもち上がるように回動したときに、上記被圧凹部３４Ｃを上方にもち上げようとする力を該被圧凹部３４Ｃへ伝える。上記回動支持部３２Ａは端子３２に設けずとも、ハウジングに設けることも可能である。
【００３６】
上記可動壁２０は、端子配列方向でその配列範囲においては、固定壁１２の後部１２Ａの上面に形成された平型導体載置面１２Ａ−１と平行な下面２５を有していて、該下面２５と平型導体載置面１２Ａ−１との間に平型導体を挿入できる空間を形成している。かかる上記可動壁２０の下面２５の後端寄りの部分は平型導体の挿入を容易とするテーパ面をなしている。この下面２５は上記溝部２２の下方に向け開口縁を形成している。
【００３７】
上記可動壁２０は、端子配列方向でその配列範囲の両外側部分は、同方向で金具３０の位置を含んでおり、図３（Ｂ）のように、前部には、上記配列範囲内の部分と同様に、上記回動被支持部２１、窓部２３、端子押圧部２４に対応する金具押圧部２４’が設けられている。後部は、上記配列範囲内の部分とは異なり、下方に突出する係止突部２６を有している。該係止突部２６は、下方に向け直角三角形断面をなしていて、後面が後端に向け上方に向う斜面で形成された導入部２６Ａ、前端が前後方向に直角な面をなす係止部２６Ｂをなしている。導入部２６Ａと係止部２６Ｂの交点をなす尖端部２６Ｃは、固定壁１２の後部１２Ｂの上面に形成された段部１６の隅部１６Ａに位置している。上記被係止部は両側縁に形成された耳部でなくとも、前端部が幅広でその後方位置にて幅狭とすることにより形成される段部、両側縁間に形成された孔部、あるいは平型導体の面に形成された突部であってもよい。
【００３８】
かかる構成のコネクタ１に接続される平型導体Ｐは、図２に見られるごとく、コネクタ１側の前端近傍の両側縁に耳部として形成された被係止部Ｐ１を有している。本実施形態では、この平型導体Ｐは、前端側の上面に接続用パッド（図示せず）が設けられているが、この接続用パッドは、下面に設けられていても、上下両面に設けられていてもよい。
【００３９】
本実施形態では、図１に見られるように、ハウジング１０の後部に取り付けられた取付具５０をも有し、この取付具５０の取付脚５１が回路基板（図示せず）にしっかりと固定され、コネクタを保持するようになっている。
【００４０】
このような本実施形態の平型導体用電気コネクタは、次の要領で使用される。
【００４１】
（１）先ず、コネクタ１は、所定の回路基板（図示せず）に取り付けられ、所定の回路部に接続される。コネクタ１は、その取付具５０の取付脚５１が半田により回路基板に取り付けられ、端子３０の接続部３５が回路基板の所定回路部に半田により電気的に接続され、金具４０の固定脚４１が半田により回路基板に取り付けられる。かくして、コネクタ１は、回路基板に対して、しっかりと取り付けられ、端子３０が電気的に対応回路部と接続される。
【００４２】
（２）次に、平型導体Ｐがこのコネクタに挿入されるが、図３（Ａ），（Ｂ）に示される挿入前の状態にあっては、端子３０の弾性接触腕部３４そして金具４０弾性被圧腕部４４の弾性により、これらの被圧凹部３４Ｃ，４４Ｃが可動壁２０の端子押圧部２４そして金具押圧部２４’に下方へ向けた弾性押圧力を及ぼしているので、コネクタ幅方向で金具４０に対応する位置では、上記可動壁２０の係止突部２６の尖端部２６Ｃが固定壁１２の後部１２Ａの上面たる段部１６の前方隅部１６Ａに当接している。この状態で、上記コネクタ幅方向で、端子の配列範囲に相当する部分では、可動壁２０はその下面２５と固定壁１２の後部１２Ａの上面との間に、平型導体Ｐを挿入可能とする間隔を形成している。したがって、この平型導体Ｐは、上記端子の配列範囲では、コネクタ内で平型導体と当接する部分が存在しないので、上記配列範囲外にある耳部たる被係止部が可動壁２０の上記係止突部２６の導入部２６Ａに当接するまで、楽に挿入される。
【００４３】
（３）平型導体Ｐの被係止部Ｐ１が上記係止突部２６の導入部２６Ａに当接すると、図４（Ｂ）に見られるように、操作者から与えられる挿入力により、被係止部Ｐ１が上記係止突部２６の導入部２６Ａに上方への力を作用せしめ、この力によって可動壁２０は可動力被支持部２１を中心に上方へ回動する。すなわち、係止突部は上方にもち上げられ、平型導体Ｐのさらなる挿入を可能とする。
【００４４】
（４）平型導体Ｐの挿入に伴う可動壁２０の上方への回動は、該可動壁２０の端子押圧部２４そして金具押圧部３４の上方への変位を意味しており、これらの端子押圧部２４と金具押圧部３４が端子３０の被押圧部３４Ｃそして金具の被押圧部４４Ｃを上方に押し、端子３０の弾性接触腕部３４そして金具の弾性被圧部４４を弾性変位させて、接触部３４Ｂそして突起４４Ｂを上方に変位させる。
【００４５】
（５）端子３０の接触部３４Ｂそして金具４０の突起４４Ｂが上方に変位する結果、平型導体Ｐは所定の挿入位置まで容易に前進して挿入が完了する。この挿入位置では、平型導体Ｐの被係止部Ｐ１は、可動壁２０の係止突部２６よりも前方に位置して該係止突部２６から外れるようになるので、可動壁２０は、最早係止突部２６から上方への押圧力を受けず、上記金具４０の弾性被圧腕部４４の弾性反力により下方に圧せられ原位置に向けて戻り、接続状態となる（図５（Ｂ）参照）。一方、端子３０は圧接突起３４Ａと接触部３４Ｂとの間で平型導体Ｐを挟圧し、該接触部３４Ｂが平型導体Ｐの接続部に電気的接続される。端子３０の接触部３４Ｂは平型導体Ｐと接触し、それ以上の下方への変位が阻止されるので、該端子３０の被圧凹部３４Ｃは可動壁２０の端子押圧部２４から離れることもある。
【００４６】
（６）上記接続状態（図５（Ａ）の状態）では、平型導体Ｐの被係止部Ｐの後縁は、可動壁２０の係止突部２６の前縁たる係止部２６と前後方向で面しており、平型導体Ｐは後方に引かれても、被係止部Ｐが上記係止部２６と係止して抜けが防止される。
【００４７】
（７）このように、本実施形態によると、平型導体Ｐは単に前方に向けたコネクタへの挿入力を受けるだけで、所定位置まで挿入され、確実に抜けが防止される。
【００４８】
＜第二実施形態＞
第一実施形態では、可動壁は固定壁を有するハウジングと別部材として作られていたが、本実施形態では、可動壁はハウジングの一部として一体に形成されている点そして、金具を有していない点に特徴がある。
【００４９】
図６そして図７（Ｂ）に見られるように、ハウジング１０の上壁を蓋状に形成する可動壁６０は、コネクタの幅方向で端子配列範囲外の位置にて、横Ｕ字状に形成された可撓部６１によって、ハウジング１０の側壁１３と一体的に連結されている。
【００５０】
かかる可動壁６０は、コネクタ幅方向にて端子配列範囲内では、図７（Ａ）に見られるように、その下面に形成された回動被支持部２１で端子の回動支持部３２Ａにより回動支持されており、端子配列範囲外では、図７（Ｂ）に見られるように、上記可撓部６１の屈曲部６１Ａを中心に回動可能となっている。したがって、平型導体所定位置までの挿入時には、この可撓部６１での上方への回動により平型導体の挿入を可能とする。可動壁６０の係止突部６２は、導入部６２Ａと係止部６２Ｂを有し、平型導体の挿入完了後は、上記可撓部６１での弾性力により、下方へ付勢されて係止部６２Ｂが平型導体の被係止部と係止するようになる。
【００５１】
本実施形態によれば、金具を不要とするのみならず、可動壁がハウジングと一体であり、その分、部品点数が減り、製造コストを低減させると共に、部品の管理を楽にする。
【００５２】
＜第三実施形態＞
第一実施形態そして第二実施形態では、固定壁は回路基板側そして可動壁は回路基板とは離れた側に設けられていたが、本実施形態では、可動壁が回路基板側、そして固定壁はこの回路基板から離れた側に設けられている点に特徴がある。
【００５３】
図８，図９そして図１０（Ａ），（Ｂ）に見られるように、ハウジング１０は上壁を固定壁１２とし、下壁が回路基板への取付面１７をなす部分を除いて、大きく切り取られた形態をなし、その切り取り空間に可動壁７０が設けられている。
【００５４】
本実施形態において、端子３０は、略Ｓ字状をなす弾性接触腕部３６と直腕状の支持腕部３７とを有している。図１０（Ａ）に見られるように、この弾性接触腕部３６は略Ｓ字状をなしていてその弾性を確保し、後端位置に可動壁７０に対する被圧部３８とその前方に上方に突出する接触部３９とを有している。
【００５５】
支持腕部３７は、その後端にて上記接触部３９と対向する支持突部３７Ａを有していて、上記接触部３９と協働して平型導体を挟圧する。
【００５６】
上記接触部３９と支持突部３７Ａの少なくとも一方が、平型導体の形態に対応して、該平型導体の接続部と電気的に接続される。
【００５７】
可動壁７０は、回路基板と面する下面７１は、後方に向けて該回路基板から離れて行くような斜面を形成しており、コネクタ幅方向で端子配列範囲では、前部に端子３０の弾性接触腕部３６の後方側の一部を収める溝部７２が形成されている。該溝部７２の後端側に位置する溝底部は段状に形成されていて、上部では前方に突出する端子押圧部７３が設けられている。該端子押圧部７３は上記端子３０の弾性接触腕部３６の先端の被圧部３８の上縁と弾性的に接触して、該被圧部３８から弾性接触腕部３６の弾性にもとづく付勢力を上方に向けて受けている。
【００５８】
上記可動壁７０は、コネクタ幅方向にて、端子配列範囲では平らな平型導体載置面７４を形成し、ハウジング固定壁１２との間で平型導体の挿入を可能としている。
【００５９】
上記可動壁７０は、コネクタ幅方向にて、端子配列範囲の外側位置に、図１０（Ａ），（Ｂ）に見られるように、係止突部７５を有している。該係止突部７５は前方に向け上方へ傾斜する面をなす導入部７５Ａと、該導入部７５の前端位置で段状に形成された、前後方向に対して直角な面をなす係止面７５Ｂとを有している。この導入部７５Ａと係止面７５Ｂとが交差する尖端部７５Ｃは固定壁１２の下面に接している。
【００６０】
さらに可動壁７０は、コネクタ幅方向にて、係止突部７５よりも外となる外側端に、上方に大きく突出する解除釦部７６が設けられている。該解除釦部７６は、ハウジング１０の固定壁１２の切欠部から該固定壁１２の上面よりも上方に突出している。
【００６１】
ハウジング１０の側壁１３には、図９に見られるような、固定金具８０が挿着されている。該固定金具８０は、図９での二点鎖線で見られるように、板状被圧入部８１と、その下端で屈曲されて外方に延びる取付部８２と、内方に屈曲され前方に延びる板ばね状の回動支持部たるばね８３と、後端で屈曲されたストッパ部８４とを有している。
【００６２】
該固定金具８０は、対応するハウジング１０のスリット（図示せず）に圧入されると、上記ストッパ部８４で圧入量が定められ、ハウジング１０から下方に突出する上記取付部８２が回路基板への取付けを可能とし、ばね部８３が上記可動壁７０の側端壁に突出形成された回動被支持部７７を下方から付勢力を伴って支持する。
【００６３】
かかる本実施形態では、図１０（Ａ），（Ｂ）において、後方から前方へ平型導体が挿入されると、コネクタ幅方向で端子配列範囲外では、該平型導体の耳状の被係止部が、コネクタ幅方向で対応する位置にある可動壁７０の係止突部７５に当接して、該係止突部７５の斜面たる導入部７５Ａに当接力を及ぼし、その下方成分力で該可動壁７０を下方に圧する。回動被支持部７７で固定金具８０のばね部８３により回動支持されている可動壁７０は、下方に回動して係止突部７５が下方に変位して固定壁１２から離れ、平型導体はさらなる挿入を可能とする。係止突部７５が下方に押し下げられると、コネクタ幅方向で端子配列範囲内では、端子押圧部７３は端子３０の被圧部３８からの付勢力に抗して該被圧部３８を下方へ圧して変位せしめる。したがって、端子の接触部３９と支持突部３７Ａとの間が大きくひらいて、平型導体のさらなる挿入を可能とする。
【００６４】
かくして、平型導体は所定位置まで挿入され、挿入完了位置では平型導体の被係止部が係止突部７５を乗り越えた位置にあって、可動壁７０は端子３０の被圧部３８からの付勢力により上方に向け原位置へ向けて戻る。したがって平型導体は上記接触部３９と支持突部３７Ａとの間で挟圧され、端子との電気的接続がなされると共に、平型導体は後方に引かれても、被係止部が係止突部７５の係止部７５Ｂに係止して抜けることはない。
【００６５】
平型導体を意図的に抜出するときには、可動壁７０の解除釦部７６を下方へ押すことにより、可動壁７０を押し下げ、端子３０の被圧部３８、ひいては接触部３９を下方へ変位させて、平型導体を後方へ引く。
【００６６】
本実施形態では、端子は支持腕部３７そして支持突部３７Ａを省略できる。この場合、平型導体は図１１に見られる端子３０の弾性接触腕部３８の接触部３９と固定壁１２の下面との間で挟圧される。
【００６７】
本発明は、図示そして既述された実施状態には限定されず、種々変更可能である。例えば、可動壁の係止突部に形成される導入部は傾斜面をなしていなくてもよい。平型導体に傾斜面を形成し、これが導入に伴い上記導入部に対する当接圧を高めるようにしてもよい。
【図面の簡単な説明】
【００６８】
【図１】本発明の第一実施形態のコネクタの全体の外観を示す上方から見た斜視図である。
【図２】図１のコネクタ及びこれに挿入される平型導体を示す断面斜視図であり、端子配列方向で（Ａ）は端子位置、（Ｂ）は金具位置、（Ｃ）は端子と金具の間の位置でそれぞれ断面されている。
【図３】平型導体の挿入前における図１のコネクタの断面図で、（Ａ）は端子位置、（Ｂ）は金具位置で断面されている。
【図４】平型導体の挿入途中における図１のコネクタの断面図で、（Ａ）は端子位置、（Ｂ）は金具位置での断面である。
【図５】平型導体の挿入完了時の図１のコネクタの断面図で、（Ａ）は端子位置、（Ｂ）は金具位置での断面である。
【図６】本発明の第二実施形態のコネクタの全体の外観を示す上方から見た斜視図である。
【図７】図６のコネクタの断面図であり、（Ａ）は端子位置、（Ｂ）は可撓部位置での断面である。
【図８】本発明の第三実施形態のコネクタの全体の外観を示す上方から見た斜視図である。
【図９】平型導体と共に示す図８のコネクタの断面斜視図である。
【図１０】図８のコネクタの断面図で、（Ａ）は端子位置、（Ｂ）は端子よりも外方位置における断面である。
【図１１】図８のコネクタの変形例を示す端子位置での断面図である。
【符号の説明】
【００６９】
１  コネクタ                            ６０  可動壁
１０  ハウジング                        ６１  可撓部
１２  固定壁                            ６２  係止突部
１７  取付面                            ６２Ａ  導入部
２０  可動壁                            ６２Ｂ  係止部
２１  回動被支持部                      ７０  可動壁
２４  端子押圧部                        ７５  係止突部
２４’  金具押圧部                      ７５Ａ  導入部
２６  係止突部                          ７５Ｂ  係止部
２６Ａ  導入部                          ７７  回動被支持部
２６Ｂ  係止部                          ８０  固定金具
３０  端子                              ８３  ばね部
３２Ａ  回動支持部
３４  弾性接触腕部
３６  弾性接触腕部
３８  回動支持部
４０  金具
【図１】
2009252692.tif 000003
【図２】
2009252692.tif 000004
【図３】
2009252692.tif 000005
【図４】
2009252692.tif 000006
【図５】
2009252692.tif 000007
【図６】
2009252692.tif 000008
【図７】
2009252692.tif 000009
【図８】
2009252692.tif 000010
【図９】
2009252692.tif 000011
【図１０】
2009252692.tif 000012
【図１１】
2009252692.tif 000013